(57)【要約】【課題】調理室内を清潔な状態に保つことがより容易なオーブンを提供する。【解決手段】底壁２３と、底壁２３の後端から立ち上がる後壁２５と、底壁２３の左右両端からそれぞれ立ち上がる２つの側壁２４と、各側壁２４の上端および後壁２５の上端を繋ぐ上壁２２とを有し、上壁２２、底壁２３、各側壁２４、後壁２５に囲まれるようにして前方開口の調理室２１が画成されている箱型の本体２を具えるオーブンであって、該オーブンは、調理室２１内に出し入れ自在に設置される第１の隔離板ユニット３を更に具え、第１の隔離板ユニット３は、調理室２１内に設置された際に後壁２５に重なる後壁隔離板３１と、後壁隔離板３１の左右両端から略垂直に折れ曲がってそれぞれ延伸するように形成され、調理室２１内に設置された際に各側壁２４にそれぞれ重なる２つの側壁隔離板３２とを有する。【選択図】図３
2016209539.tif 000002
【特許請求の範囲】
【請求項１】
底壁と、該底壁の後端から立ち上がる後壁と、該底壁の左右両端からそれぞれ立ち上がる２つの側壁と、各前記側壁の上端および前記後壁の上端を繋ぐ上壁とを有し、前記上壁、前記底壁、各前記側壁、前記後壁に囲まれるようにして前方開口の調理室が画成されている箱型の本体を具えるオーブンであって、
前記調理室内に前記前方開口を通して出し入れ自在に設置される第１の隔離板ユニットを更に具え、
前記第１の隔離板ユニットは、前記調理室内に設置された際に前記本体の前記後壁に重なって前記後壁を前記調理室から隔離する後壁隔離板と、前記後壁隔離板の左右両端から略垂直に折れ曲がってそれぞれ延伸するように形成され、前記調理室内に設置された際に前記本体の各前記側壁にそれぞれ重なって各前記側壁を前記調理室から隔離する２つの側壁隔離板とを有する、ことを特徴とするオーブン。
【請求項２】
前記側壁隔離板の前端には外側に広がるフランジが設けられ、
前記側壁の前端面には、対応の前記側壁隔離板の前記フランジを受け入れられるように形成されたフランジ受け溝が設けられている、請求項１に記載のオーブン。
【請求項３】
前記フランジ受け溝は、前記側壁の前記前端面の一部であって上下方向に延伸する垂直面と、前記垂直面の上端から折れ曲がって前方に延伸する上面と、前記垂直面の下端から折れ曲がって前方に延伸する下面とに囲まれるようにして画成されており、また、前記垂直面における他方の前記側壁から離れた側には、上下方向に延伸するように切り込まれたスリットが形成されており、
前記フランジは、前記側壁隔離板の前端から折れ曲がって外側に延伸するように形成された第１の板部と、該第１の板部の延伸端から折れ曲がって後方に延伸するように形成された第２の板部とを有し、且つ、
前記第１の隔離板ユニットが前記調理室内に設置された際に、前記第１の板部が前記フランジ受け溝に受け入れられ、前記第２の板部が前記スリットに受け入れられるように構成された、請求項２に記載のオーブン。
【請求項４】
前記側壁は、前記調理室に向かって突起すると共に前後方向に延伸するように形成された位置決めブロックを有し、
前記側壁隔離板は、それぞれ外側に向かって突起すると共に前後方向に延伸し、前記第１の隔離板ユニットが前記調理室内に設置された状態において対応の前記側壁の前記位置決めブロックを間に挟むことができるように形成された２本の突条を有する、請求項１〜３のいずれか一項に記載のオーブン。
【請求項５】
前記側壁は、前記調理室に向かって突起すると共に押圧を受けると弾性的に押し戻されるように形成された第１の弾性突起を有し、
前記側壁隔離板は、前記第１の隔離板ユニットが前記調理室内に設置された状態において前記第１の弾性突起と上下方向で対応すると共に前記第１の弾性突起よりも後方となる位置に、外側に向かって突起する第１の係止部を有し、
また、前記第１の隔離板ユニットが前記調理室内に設置される際に、前記第１の係止部が前記第１の弾性突起を押し戻すように通り越すと、前記第１の係止部が前記第１の弾性突起に係止され、該係止により前記第１の隔離板ユニットの前方への移動が制限されるように構成された、請求項１〜４のいずれか一項に記載のオーブン。
【請求項６】
前記第１の隔離板ユニットが前記調理室内に設置された際に前記第１の隔離板ユニットと前記上壁との間となる位置で前記本体に前後方向に延伸するように設置されるガイドレールユニットと、前記調理室内に前記前方開口を通して出し入れ自在に設置されるように前記ガイドレールユニットに係脱自在に係合する第２の隔離板ユニットとを更に具える、請求項１〜５のいずれか一項に記載のオーブン。
【請求項７】
前記ガイドレールユニットは、係合する前記第２の隔離板ユニットに向かって突起すると共に押圧を受けると弾性的に押し戻されるように形成された第２の弾性突起を有し、
前記第２の隔離板ユニットは、前記ガイドレールユニットと係合して前記調理室内に設置された状態において前記第２の弾性突起よりも後方となる位置に、前記ガイドレールユニットに向かって突起する第２の係止部を有し、
また、前記第２の隔離板ユニットが前記調理室内に設置される際に、前記第２の係止部が前記第２の弾性突起を押し戻すように通り越すと、前記第２の係止部が前記第２の弾性突起に係止され、該係止により前記第２の隔離板ユニットの前方への移動が制限されるように構成された、請求項６に記載のオーブン。
【請求項８】
前記第２の隔離板ユニットは、その前端から下方に突き出るように延伸すると共に延伸方向に沿った断面が三角形を呈するように形成された突出部を有する、請求項６または７に記載のオーブン。
【請求項９】
前記後壁隔離板および各前記側壁隔離板は個別に形成されており、
各前記側壁隔離板の後端に複数のスリットが設けられ、
前記後壁隔離板の左右両端にそれぞれ前記スリットと対応する複数のフックが設けられており、
前記フックが脱離可能に対応の前記スリットに嵌めいれられている、請求項１〜８のいずれか一項に記載のオーブン。
【請求項１０】
前記側壁隔離板は、その内側に、滑り止め部が設けられていて、前記滑り止め部は、それぞれ内側に突起すると共に上下方向に延伸するように形成された複数の滑り止め突起を有する、請求項１に記載のオーブン。
【発明の詳細な説明】
【技術分野】
【０００１】
本発明は、調理器具に関し、詳しくは調理対象を器具内部で加熱するためのオーブンに関する。
【背景技術】
【０００２】
従来の調理用オーブンの一例が図１に示されている（特許文献１参照）。従来のオーブンは、調理室１１１を画成する筐体１１と、筐体１１の前面に開閉自在に枢設されている前扉１２と、調理室１１１に取り出し可能に設置されている焼き網１３とを具える。焼き網１３は食べ物の滓や油汚れが付きやすいが、取り出し可能なので、単独で水洗いすることもできる。
【先行技術文献】
【特許文献】
【０００３】
【特許文献１】台湾登録実用新案第Ｍ４９２７０４号明細書
【発明の概要】
【発明が解決しようとする課題】
【０００４】
しかしながら、筐体１１の内壁は、調理室１１１に直接面しているので焼き網１３と同様に汚れやすいが、焼き網１３のように取り外すことができないので単独で洗うことはできず、これを清掃するには、例えば手を調理室１１１に入れて布巾などでこする必要があり、厄介である。また、調理室１１１内には加熱部材や導電部が設けられており、手が強く当ると破損する恐れもあるので、余計に清掃しづらく、汚れが残りやすい。よって、オーブンの調理室内を清潔な状態に保つことが難しい。
【０００５】
そこで、本発明の目的は、調理室内を清潔な状態に保つことがより容易なオーブンを提供することにある。
【課題を解決するための手段】
【０００６】
上記目的を達成するため、本発明は以下の手段を提供する。
【０００７】
即ち、底壁と、該底壁の後端から立ち上がる後壁と、該底壁の左右両端からそれぞれ立ち上がる２つの側壁と、各前記側壁の上端および前記後壁の上端を繋ぐ上壁とを有し、前記上壁、前記底壁、各前記側壁、前記後壁に囲まれるようにして前方開口の調理室が画成されている箱型の本体を具えるオーブンであって、
前記調理室内に前記前方開口を通して出し入れ自在に設置される第１の隔離板ユニットを更に具え、
前記第１の隔離板ユニットは、前記調理室内に設置された際に前記本体の前記後壁に重なって前記後壁を前記調理室から隔離する後壁隔離板と、前記後壁隔離板の左右両端から略垂直に折れ曲がってそれぞれ延伸するように形成され、前記調理室内に設置された際に前記本体の各前記側壁にそれぞれ重なって各前記側壁を前記調理室から隔離する２つの側壁隔離板とを有することを特徴とするオーブンを提供する。
【発明の効果】
【０００８】
上記手段によれば、前記本体の前記調理室に前記第１の隔離板ユニットが出し入れ自在に設置されるので、前記本体の前記調理室内に前記第１の隔離板ユニットが設置されると、前記本体の各前記側壁が各前記側壁隔離板によって前記調理室から隔離されることにより、各前記側壁に調理対象による汚れが付着するのを防止することができる一方、前記第１の隔離板ユニットを前記調理室から取り出すと、前記第１の隔離板ユニットを単独で洗うことができるようになる。よって、調理室内を清潔な状態に保つことが従来のオーブンと比べて遥かに容易である。
【図面の簡単な説明】
【０００９】
【図１】従来のオーブンの一例を示す分解斜視図。
【図２】本発明のオーブンに係る第１の実施形態を示す斜視図。
【図３】上記第１の実施形態を示す分解斜視図。
【図４】上記第１の実施形態の一部を示す部分斜視図。
【図５】上記第１の実施形態における第１の隔離板ユニットを示す斜視図。
【図６】上記第１の実施形態における本体の一部および第１の隔離板ユニットの一部を示す部分断面図。
【図７】上記第１の実施形態におけるガイドレールユニットの一部および第２の隔離板ユニットの一部を示す部分斜視図。
【図８】上記第１の実施形態における本体の一部および第１の隔離板ユニットの一部を示す部分断面図。
【図９】上記第１の実施形態におけるガイドレールユニットの一部および第２の隔離板ユニットの一部を示す部分断面図。
【図１０】上記第１の実施形態における本体の一部および第１の隔離板ユニットの一部を示す部分断面図。
【図１１】上記第１の実施形態におけるガイドレールユニットの一部および第２の隔離板ユニットの一部を示す部分断面図。
【図１２】本発明のオーブンに係る第２の実施形態を示す部分分解斜視図。
【図１３】上記第２の実施形態を示す部分組立斜視図。
【発明を実施するための形態】
【００１０】
以下、図面を参照しながら本発明の具体的な実施形態を説明する。
【００１１】
＜第１の実施形態＞
図２および図３は、本発明のオーブンに係る第１の実施形態を示している。本実施形態において、オーブンは、前方開口の箱型の本体２と、本体２の内部（調理室２１）に上記前方開口を通して出し入れ自在に設置される第１の隔離板ユニット３と、本体２の内部で本体２に設けられているガイドレールユニット４と、ガイドレールユニット４に係脱自在に設置される第２の隔離板ユニット５とを有する。以下、それぞれ詳説する。なお、オーブンは、本体２の内部に配置される焼き網（図示せず）や、上記前方開口を開け閉め自在に塞ぐ前扉（図３では図示を省略）も有するが、これらは本発明の要点ではないので、説明を省略する。
【００１２】
（本体２）
図３および図４に示されているように、本体２は、底壁２３と、底壁２３の後端から立ち上がる後壁２５と、底壁２３の左右両端からそれぞれ立ち上がる２つの側壁２４と、各側壁２４の上端および後壁２５の上端を繋ぐ上壁２２とを有し、上壁２２、底壁２３、各側壁２４、後壁２５に囲まれるようにして前方開口の調理室２１が画成されている。
【００１３】
各側壁２４の内側には、上下方向において調理室２１の中ほどの位置で調理室２１に向かって突起すると共に前後方向に延伸して長方形状に形成された位置決めブロック２４１と、位置決めブロック２４１の後方斜め上および後方斜め下の各位置でそれぞれ調理室２１に向かって円弧状に突起すると共に押圧を受けると弾性的に押し戻されるように形成された２つの第１の弾性突起２４２（図８参照）が設けられている。
【００１４】
また、各側壁２４は、上記前方開口側に位置する前端面２４３に、後述する第１の隔離板ユニット３が有するフランジ３３を受け入れるためのフランジ受け溝２４７を有する。フランジ受け溝２４７は、図４に示されているように、側壁２４の前端面２４３の一部であって前端面２４３より窪んでいると共に上下方向に延伸する垂直面２４３ａと、垂直面２４３ａの上端から折れ曲がって前方に延伸し前端面２４３の垂直面２４３ａ以外の部分と繋がる上面２４３ｂと、垂直面２４３ａの下端から折れ曲がって前方に延伸し前端面２４３の垂直面２４３ａ以外の部分と繋がる下面２４３ｃとに囲まれるようにして画成されている。
【００１５】
更に、各側壁２４の垂直面２４３ａにおける他方の側壁２４から離れた側、つまり外側には、上下方向に延伸するように切り込まれたスリット２４６が形成されている。
【００１６】
（第１の隔離板ユニット３）
図３、図５および図６に示されているように、第１の隔離板ユニット３は、調理室２１内に設置された際に本体２の後壁２５に重なるように形成された後壁隔離板３１と、後壁隔離板３１の左右両端から略垂直に折れ曲がってそれぞれ延伸し、調理室２１内に設置された際に本体２の各側壁２４にそれぞれ重なるように形成された２つの側壁隔離板３２とを有し、後壁隔離板３１と２つの側壁隔離板３２とから「コ」の字形をなすように構成されている。また、各側壁隔離板３２の前端（延伸端）には、外側に広がるフランジ３３が設けられている。
【００１７】
各側壁隔離板３２は、それぞれ外側に向かって突起すると共に互いに平行に前後方向に延伸し、第１の隔離板ユニット３が調理室２１内に設置された状態において対応の側壁２４の位置決めブロック２４１を間に挟むことができるように形成された２本の突条３２１と、第１の隔離板ユニット３が調理室２１内に設置された状態において本体２の各第１の弾性突起２４２とそれぞれ上下方向で対応すると共に第１の弾性突起２４２よりも後方となる位置に、外側に向かって突起する２つの第１の係止部３２３と、を有する。また、各側壁隔離板３２の前方内側には、滑り止め部３２２が設けられており、滑り止め部３２２は、それぞれ内側に突起すると共に上下方向に延伸するように形成された複数（図示では３つ）の滑り止め突起３２２ａを有する。
【００１８】
各フランジ３３は、図５および図６に示されているように、側壁隔離板３２の前端から折れ曲がって外側に延伸するように形成された第１の板部３３１と、第１の板部３３１の延伸端から折れ曲がって後方に延伸するように形成された第２の板部３３２とを有し、第１の板部３３１と第２の板部３３２とから「Ｌ」字形に構成されている。
【００１９】
第１の隔離板ユニット３を本体２の上記前方開口を通して調理室２１内に入れる際には、左右それぞれで２本の突条３２１により位置決めブロック２４１が挟まれるように位置を合わせてから第１の隔離板ユニット３を押し込む。この際、２本の突条３２１が位置決めブロック２４１を挟み込むので、第１の隔離板ユニット３の上下方向の移動が制限される。そして、第１の隔離板ユニット３が完全に調理室２１内に入れられると、図６に示されているように、フランジ３３の第１の板部３３１が側壁２４のフランジ受け溝２４７に受け入れられ、第２の板部３３２がスリット２４６に受け入れられると同時に、図１０に示されているように、第１の隔離板ユニット３の各第１の係止部３２３が本体２の対応の第１の弾性突起２４２を押し戻すように通り越して（図１０は通り越した後の状態を示す）、第１の係止部３２３が第１の弾性突起２４２に係止され、該係止により第１の隔離板ユニット３の前方への移動が制限される。このように、第１の隔離板ユニット３が調理室２１内に設置されると、後壁隔離板３１が後壁２５に重なって後壁２５を調理室２１から隔離すると共に、各側壁隔離板３２が対応の側壁２４に重なって該側壁２４を調理室２１から隔離するようになる。
【００２０】
（ガイドレールユニット４）
図３および図７に示されているように、ガイドレールユニット４は、第１の隔離板ユニット３が調理室２１内に設置された際に第１の隔離板ユニット３と上壁２２との間となる位置で本体２に前後方向に延伸するように設置されており、具体的には、左右一対のガイドレール４１を有している。また、各ガイドレール４１の後端付近には、係合される第２の隔離板ユニット５に向かって円弧状に突起すると共に押圧を受けると弾性的に押し戻されるように形成された第２の弾性突起４２が設けられている。
【００２１】
（第２の隔離板ユニット５）
図３および図７に示されているように、第２の隔離板ユニット５は、平板状のものであり、ガイドレールユニット４に係脱自在に係合して案内されるように構成されていて、該係脱によって調理室２１内に上記前方開口を通して出し入れ自在に設置される。また、第２の隔離板ユニット５は、ガイドレールユニット４に案内されて調理室２１内に設置された状態においてガイドレールユニット４の第２の弾性突起４２よりも後方となる位置にガイドレールユニット４に向かって突起する第２の係止部５２を有する。
【００２２】
第２の隔離板ユニット５を本体２の上記前方開口を通して調理室２１内に入れる際には、第２の隔離板ユニット５が２本のガイドレール４１に案内されるようにしながら第２の隔離板ユニット５を押し込む。すると、図１１に示されているように、第２の係止部５２が第２の弾性突起４２を押し戻すように通り越して（図１１は通り越した後の状態を示す）、第２の係止部５２が第２の弾性突起４２に係止され、該係止により第２の隔離板ユニット５の前方への移動が制限される。そして、第２の隔離板ユニット５が完全に調理室２１内に入れられると、第２の隔離板ユニット５が本体２の上壁２２に重なり、上壁２２を調理室２１から隔離するようになる。
【００２３】
なお、第２の隔離板ユニット５は、その前端から下方に突き出るように延伸すると共に延伸方向に沿った断面が三角形を呈するように形成された突出部５１（図３参照）を有する。
【００２４】
オーブンの使用に際して調理室２１内に設置された第１の隔離板ユニット３および第２の隔離板ユニット５を、洗浄のために調理室２１から取り出す際の態様を以下に説明する。なお、図８〜図１１では、図示右側が後方、左側が前方であり、矢印Ｔは引き出し方向を示す。
【００２５】
第１の隔離板ユニット３を引き出すと、第１の係止部３２３が矢印Ｔの方向に移動して第１の弾性突起２４２を弾性的に押し戻しながら通り越える（即ち図１０から図８の状態になる）。これにより、第１の隔離板ユニット３が本体２から取り外せるようになる。なお、使用者は滑り止め部３２２を内側から押さえるようにして第１の隔離板ユニット３を引っ張ることができる。
【００２６】
また、第２の隔離板ユニット５を引き出すと、第２の係止部５２が矢印Ｔの方向に移動して第２の弾性突起４２を弾性的に押し戻しながら通り越える（即ち図１１から図９の状態になる）。これにより、第２の隔離板ユニット５が本体２から取り外せるようになる。なお、使用者は、突出部５１を取っ手として第２の隔離板ユニット５を引っ張ることができる。
【００２７】
上述のように構成された本実施形態のオーブンによれば、使用状態において、本体２の各側壁２４と後壁２５が第１の隔離板ユニット３により、また、上壁２２が第２の隔離板ユニット５によりそれぞれ調理室２１から隔離されているので、調理対象である食べ物による汚れが着かず、清潔な状態を長く維持することができる。一方、第１の隔離板ユニット３および第２の隔離板ユニット５は、調理室２１に直接面するので汚れることもあるが、上述のように本体２から容易に取り外すことができるので、取り外してから単独で擦り洗いしたり水洗いしたりすることができ、容易に洗浄できる。即ち、本発明によれば、調理室内を清潔な状態に保つことが従来と比べて遥かに容易なオーブンを提供することが可能となる。
【００２８】
＜第２の実施形態＞
図１２および図１３は、本発明のオーブンに係る第２の実施形態を示している。本実施形態は、第１の実施形態と比べて、第１の隔離板ユニット３が後壁隔離板３１と各側壁隔離板３２とで分離可能な構成となっている点においてのみ異なっており、以下ではその違いだけ説明する。
【００２９】
第１の隔離板ユニット３は、後壁隔離板３１と、各側壁隔離板３２とが個別に形成されている。各側壁隔離板３２の後端には複数（図示では３つ）のスリット３２４が設けられており、一方、後壁隔離板３１の左右両端にはそれぞれ対応のスリット３２４に脱離可能に嵌め入れられる複数（図示では３つ）のフック３１１が設けられている。
【００３０】
各フック３１１は、後壁隔離板３１の左右両端のいずれかから略垂直に折れ曲がって前方に延伸する第１の延伸部３１２と、第１の延伸部３１２の延伸端から略垂直に折れ曲がって下方に延伸する第２の延伸部３１３とからＬ字型に形成されている。
【００３１】
後壁隔離板３１と各側壁隔離板３２とを組み合わせる際には、まず、図１２に示されているように各側壁隔離板３２を後壁隔離板３１と平行にして、各フック３１１をそれぞれ対応のスリット３２４に挿入する。次に、フック３１１をスリット３２４に完全に挿入してから、各側壁隔離板３２を後壁隔離板３１に対して垂直になるように回す。その後、各側壁隔離板３２を後壁隔離板３１に対して上方に移動させると、フック３１１の第１の延伸部３１２の下端がスリット３２４の下端で側壁隔離板３２に当接すると共に、第２の延伸部３１３が側壁隔離板３２に当接するようになる。これにより、後壁隔離板３１と各側壁隔離板３２とが「コ」の字形をなすように組み合わされる。
【００３２】
本実施形態によれば、上述のように後壁隔離板３１と各側壁隔離板３２とが分離可能なので、第１の隔離板ユニット３がより洗いやすい。
【００３３】
以上、本発明の好ましい実施形態を説明したが、本発明はこれに限定されるものではなく、その要旨を逸脱しない範囲で種々変更可能である。
【００３４】
例えば、上記各実施形態では、第１の弾性突起２４２を各側壁２４に２つずつ、第１の係止部３２３を各側壁隔離板３２に２つずつ設けたが、数量はこれに限らず、１つずつだけ、またはより多く設けても構わない。また、同様に、第２の弾性突起４２および第２の係止部５２も、それらの数量を調整することができる。
【産業上の利用可能性】
【００３５】
本発明は、調理室内を清潔に保つことが容易なので、特に一般家庭で用いられる調理用のオーブンとして有用である。
【符号の説明】
【００３６】
２        本体
２１      調理室
２２      上壁
２３      底壁
２４      側壁
２４１    位置決めブロック
２４２    第１の弾性突起
２４３    前端面
２４３ａ  垂直面
２４３ｂ  上面
２４３ｃ  下面
２４６    スリット
２４７    フランジ受け溝
２５      後壁
３        第１の隔離板ユニット
３１      後壁隔離板
３１１    フック
３１２    第１の延伸部
３１３    第２の延伸部
３２      側壁隔離板
３２１    突条
３２２    滑り止め部
３２２ａ  滑り止め突起
３２３    第１の係止部
３２４    スリット
３３      フランジ
３３１    第１の板部
３３２    第２の板部
４        ガイドレールユニット
４１      ガイドレール
４２      第２の弾性突起
５        第２の隔離板ユニット
５１      突出部
５２      第２の係止部
【図１】
2016209539.tif 000003
【図２】
2016209539.tif 000004
【図３】
2016209539.tif 000005
【図４】
2016209539.tif 000006
【図５】
2016209539.tif 000007
【図６】
2016209539.tif 000008
【図７】
2016209539.tif 000009
【図８】
2016209539.tif 000010
【図９】
2016209539.tif 000011
【図１０】
2016209539.tif 000012
【図１１】
2016209539.tif 000013
【図１２】
2016209539.tif 000014
【図１３】
2016209539.tif 000015